(57)【要約】【課題】特殊光観察画像などの特定部分を３次元画像の中で表示する。【解決手段】ビデオスコープ１０内のセンサコイル１６と形状検出用アンテナユニット５０によって、挿入部１０Ｍの挿入部形状を３次元挿入部画像ＩＡとして表示可能な内視鏡システムにおいて、特殊光観察モードが設定された場合、撮影対象器官の外観形状である３次元器官画像ＩＢを同時に表示する。そして、３次元器官画像ＩＢに対し、特殊光観察画像の強調部分ＥＩの位置を３次元器官画像ＩＢの中で特定し、強調部分ＦＩを重ねて表示する。  【選択図】図６
2018166932.tif 000002
【特許請求の範囲】
【請求項１】
内視鏡撮影による観察画像の中で所定部分を識別化する観察画像処理部と、
内視鏡挿入部の形状を検出する挿入部形状検出部と、
検出された内視鏡挿入部形状に基づいて、撮影対象となる被写体の外観形状を３次元画像で表示する３次元画像処理部とを備え、
前記３次元画像処理部が、内視鏡先端部の位置および観察画像の向きに基づいて、識別化された部分に該当する箇所を３次元画像の中で特定し、その箇所を識別表示することを特徴とする内視鏡システム。
【請求項２】
前記内視鏡先端部の姿勢変化に応じて観察画像の向きの変化を検出する画像方向検出部と、
基準となる観察画像の向きに基づいて観察画像の向きを補正する画像補正処理部とをさらに備えることを特徴とする請求項１に記載の内視鏡システム。
【請求項３】
前記画像方向検出部が、内視鏡先端部の軸回りの回転に伴う観察画像の向きの変化を検出することを特徴とする請求項２に記載の内視鏡システム。
【請求項４】
前記画像方向検出部が、内視鏡先端部に設けられた加速度センサに基づいて、観察画像の向きの変化を検出することを特徴とする請求項２または３に記載の内視鏡システム。
【請求項５】
前記画像補正処理部が、内視鏡挿入部の挿入開始時の観察画像の向きを基準とすることを特徴とする請求項２乃至４のいずれかに記載の内視鏡システム。
【請求項６】
前記３次元画像処理部が、識別化された部分の定量値を表す指標を、３次元画像とともに表示することを特徴とする請求項１乃至５のいずれかに記載の内視鏡システム。
【請求項７】
前記３次元画像処理部が、前記内視鏡挿入部の３次元形状画像と、被写体の３次元画像とを同時に表示することを特徴とすることを特徴とする請求項１乃至６のいずれかに記載の内視鏡システム。
【請求項８】
内視鏡による観察画像を、内視鏡挿入部の挿入量もしくは定められた時間間隔に従って記録する記録処理部をさらに備え、
前記３次元画像処理部が、記録された観察画像に基づいて、３次元画像の中で抽出された部分に該当する箇所を特定することを特徴とする請求項１乃至７のいずれかに記載の内視鏡システム。
【請求項９】
互いに異なる波長域をもつ複数の特殊光を照射可能な照明部を備え、
前記観察画像処理部が、選択された特殊光によって得られる特殊光観察画像に対し、所定条件を満たす部分を抽出することを特徴とする請求項１乃至８のいずれかに記載の内視鏡システム。
【請求項１０】
前記照明部が、複数の特殊光を切り替えながら被写体へ照明し、
前記３次元画像処理部が、複数の特殊光に応じた複数の３次元画像を生成するとともに、抽出された部分をそれぞれの３次元画像に識別化できるように表示することを特徴とする請求項９に記載の内視鏡システム。
【請求項１１】
検出された内視鏡挿入部形状に基づいて、撮影対象となる被写体の外観形状を３次元画像で表示する３次元画像処理部と、
内視鏡撮影による観察画像の中で所定部分を識別化した観察画像の向きを調整する画像方向検出部と、
前記３次元画像処理部が、内視鏡先端部の位置および観察画像の向きに基づいて、識別化された部分に該当する箇所を３次元画像の中で特定し、その箇所を識別表示することを特徴とする画像処理装置。
【発明の詳細な説明】
【技術分野】
【０００１】
本発明は、スコープ（内視鏡）を用いて器官などの被写体を観察する内視鏡システムに関し、特に、観察画像の表示に関する。
【背景技術】
【０００２】
内視鏡システムでは、特定波長域の光（特殊光）を観察部位に照射し、その観察画像から病変部と推定される部分を抽出することができる。そして、抽出した領域を識別化できるように、例えば周囲とは異なる色成分でその部分を強調した観察画像を表示する（例えば特許文献１参照）。
【先行技術文献】
【特許文献】
【０００３】
【特許文献１】特開２０１２−１３９４８２号公報
【発明の概要】
【発明が解決しようとする課題】
【０００４】
特殊光などに基づく観察画像は２次元画像であり、観察画像の中で病変部と推測される部分を識別化、強調しても、器官内のごく一部が特定されるだけであり、立体的形状をもつ器官内で、その識別化、強調された部分がどの箇所に該当するのか把握できない。
【０００５】
したがって、特殊光などに基づく２次元観察画像から、炎症などが推定される箇所、器官全体として把握することが求められる。
【課題を解決するための手段】
【０００６】
本発明は、内視鏡撮影による観察画像の中で所定部分を識別化する観察画像処理部と、内視鏡挿入部の形状を検出する挿入部形状検出部と、検出された挿入部形状に基づいて、撮影対象となる被写体の外観形状を３次元画像で表示する３次元画像処理部とを備える。例えば３次元画像処理部は、内視鏡挿入部の３次元形状画像と、被写体の３次元画像とを同時に表示することができる。
【０００７】
そして本発明の３次元画像処理部は、内視鏡先端部の位置および観察画像の向きに基づいて、識別化された部分に該当する箇所を３次元画像の中で特定し、その箇所を識別表示する。例えば、内視鏡による観察画像を、内視鏡挿入部の挿入量もしくは定められた時間間隔に従って記録し、３次元画像処理部が、記録された観察画像に基づいて、３次元画像の中で抽出された部分に該当する箇所を特定することができる。
【０００８】
例えば、内視鏡システムは、内視鏡先端部の姿勢変化に応じて観察画像の向きの変化を検出する画像方向検出部と、基準となる観察画像の向きに基づいて観察画像の向きを補正する画像補正処理部とを備える。
【０００９】
画像方向検出部は、内視鏡先端部の軸回りの回転に伴う観察画像の向きの変化を検出することができる。例えば、画像方向検出部は、内視鏡先端部に設けられた加速度センサに基づいて、観察画像の向きの変化を検出する。画像補正処理部は、内視鏡挿入部の挿入開始時の観察画像の向きを基準とすればよい。
【００１０】
３次元画像処理部が、識別化された部分の定量値を表す指標を、３次元画像とともに表示することが可能である。
【００１１】
例えば内視鏡システムは、互いに異なる波長域をもつ複数の特殊光を照射可能な照明部を備える。特殊光観察モードにおいて、観察画像処理部は、選択された特殊光によって得られる特殊光観察画像に対し、所定条件を満たす部分を抽出することが可能である。
【００１２】
また、照明部は、複数の特殊光を切り替えながら被写体へ照明することが可能であり、３次元画像処理部は、複数の特殊光に応じた複数の３次元画像を生成するとともに、抽出された部分をそれぞれの３次元画像に識別化できるように表示することができる。
【００１３】
本発明の他の態様における画像処理装置は、検出された内視鏡挿入部形状に基づいて、撮影対象となる被写体の外観形状を３次元画像で表示する３次元画像処理部と、内視鏡撮影による観察画像の中で所定部分を識別化した観察画像の向きを調整する画像方向検出部と、３次元画像処理部が、内視鏡先端部の位置および観察画像の向きに基づいて、識別化された部分に該当する箇所を３次元画像の中で特定し、その箇所を識別表示する。
【発明の効果】
【００１４】
このように本発明によれば、特殊光観察画像などの特定部分を３次元画像の中で表示することができる。
【図面の簡単な説明】
【００１５】
【図１】第１の実施形態における内視鏡システムのブロック図である。
【図２】特定画素部分ＥＩが強調された特殊観察画像ＩＭを示した図である。
【図３】３次元表示用のモニタの表示画面を示した図である。
【図４】ビデオスコープの挿入作業の経過に伴ってモニタに表示される３次元挿入部画像および３次元器官画像を示した図である。
【図５】スコープ先端部の姿勢変化による特殊光観察画像の向きの変化を示した図である。
【図６】特殊光観察画像の強調部分と３次元器官画像の強調部分との対応関係を示した図である。
【図７】スコープ挿入部１０Ｍを引き戻したときの病変部の取得を示した図である。
【図８】特殊光観察モードのときに画像処理装置７０で実行される３次元画像処理のフローチャートである。
【図９】モードＡ、モードＢ、モードＣがそれぞれ設定された場合の３次元器官画像ＩＡ、ＩＢ、ＩＣを示した図である。
【図１０】第２の実施形態における３次元器官画像を示した図である。
【図１１】特殊光観察モードにおける特殊光の切り替えを示したタイミングチャートである。
【発明を実施するための形態】
【００１６】
以下では、図面を参照して本実施形態である内視鏡システムについて説明する。
【００１７】
図１は、第１の実施形態における内視鏡システムのブロック図である。
【００１８】
内視鏡システム１００は、ビデオスコープ１０と、ビデオスコープ１０が着脱自在に接続されるプロセッサ３０とを備えた内視鏡措置を備え、患部の観察、処置などを行うとき、ビデオスコープ１０の挿入部１０Ｍが体内に挿入される。プロセッサ３０には、観察画像を表示するモニタ４０Ａが接続されている。オペレータは、スコープ操作部１０Ｐを操作することによって、スコープ先端部１０Ｔを上下左右に湾曲させることができる。
【００１９】
プロセッサ３０内に設けられた光源４２から放射される光は、ビデオスコープ１０内に設けられたライトガイド１１によってビデオスコープ１０の先端部１０Ｔに導かれ、先端部１０Ｔから被写体（器官内壁）に向けて照射される。被写体からの反射光は、先端部１０Ｔに設けられた撮像デバイス１２に結像し、これによって被写体像が形成される。ＣＣＤ、ＣＭＯＳイメージセンサなどの撮像デバイス１２は、ここではオンチップカラーフィルタ式の撮像デバイスであり、Ｒ，Ｇ，Ｂなどから構成されるカラーフィルタアレイが撮像デバイス１２の受光面上に設けられている。
【００２０】
撮像デバイス１２では、１フィールドあるいは１フレーム分の画素信号が所定時間間隔で読み出される。読み出された画素信号は、ドライブ／プロセス回路１３、プロセッサ３０のドライブ／プロセス回路３２およびシステムコントロール回路４０を介して画像処理回路３６へ送られる。画像処理回路３６では、画素信号に対して色変換処理、ホワイトバランス調整処理などが施され、カラー画像信号が生成される。カラー画像信号がモニタ４０Ａに出力されることにより、カラー観察画像がモニタ４０Ａに表示される。
【００２１】
システムコントロール回路４０は、プロセッサ３０の動作を制御し、画像処理回路３６などへ制御信号を出力する。タイミングジェネレータ（図示せず）は、各回路の出力タイミングを調整するクロックパルス信号を出力する。また、システムコントロール回路４０は、画像処理回路７０のシステムコントロール回路７６との間でデータ相互通信を行う。
【００２２】
プロセッサ３０には、フィルタ機構４４が光源４２とライトガイド１１の入射端との間に設けられている。フィルタ機構４４は、ディスク状のロータリーフィルタ（図示せず）を備え、開口部が周方向に沿って形成されるとともに、互いに異なる波長域の光を透過する複数のカラーフィルタが周方向に沿って所定間隔で配置されている。
【００２３】
ここでは、青色に応じた狭帯域光、緑色に応じた狭帯域光、赤外光に応じた狭帯域光をそれぞれ透過する３つのカラーフィルタが所定間隔で配置されている。フィルタ機構４４のフィルタ駆動部（図示せず）は、ロータリーフィルタを所定量あるいは１フィールド／フレーム期間に合わせて回転移動させることが可能である。
【００２４】
プロセッサ３０のフロントパネル３７には、通常観察モードと特殊光観察モードとの切り替えるモード切替ボタン３８と、特殊光観察モード時の特殊光の種類を選択するボタン３８Ａと、画像編集処理によって特定部分を強調した観察画像を表示する画像強調ボタン３９とが設けられている。通常観察モードでは、光源４２から放射された白色光は、ロータリーフィルタの開口部を通過してライトガイド１１の入射端に入射する。
【００２５】
一方、特殊光観察モードが設定された場合、ロータリーフィルタが所定角度回転し、光源４２からの白色光は、いずれかのカラーフィルタを通過する。これにより、狭帯域光が被写体に照射される。撮像デバイス１２から読み出された画素信号は、プロセッサ３０の特徴光画像処理回路３４へ送られる。特殊光画像処理回路３４では、通常観察画像とは異なる色合いとなるカラー画像信号が生成されるとともに、１フィールド／フレーム分の画素信号の中で所定部分を演算処理によって抽出する。
【００２６】
具体的には、１フィールド／フレーム分の画素信号の中で、所定条件を満たす画素値をもつ画素部分が抽出される。ここでは、特定の色成分の画素値が閾値より高いあるいは低い画素が抽出される。例えば、Red Densityの数値が閾値より高い部分が観察画像の中で特定される。所定条件を満たす画素部分が抽出されると、その画素部分が観察画像の中で識別化されるように、画像強調処理が施される。これにより、特定部分が強調された特殊光観察画像がモニタ４０Ａに表示される。
【００２７】
図２は、特定画素部分ＥＩが強調された特殊観察画像ＩＭを示した図である。なお、フィルタ機構４４を回転制御することによって、白色光による通常観察画像と特殊光観察画像とをモニタ４０Ａに同時表示するように構成してもよい。
【００２８】
一方、内視鏡システムは、内視鏡作業支援システムとして、磁界を発生させる形状検出用アンテナユニット５０と、支援用の３次元画像を生成する画像処理装置７０を備える。画像処理装置７０は、ビデオスコープ１０の挿入部形状を検出し、挿入部形状を３次元画像によってモニタ６０に表示する。
【００２９】
ビデオスコープ１０の挿入部には、複数のセンサコイル１６が設けられており、形状検出用アンテナユニット５０による磁界発生によって磁気検出信号を出力する。システムコントロール回路７６は、検出された磁気によってビデオスコープ１０の挿入部内のセンサコイルの相対位置を検出し、これによって体内に挿入されている部分の形状を検出する。そして、画像処理回路７４は、検出された挿入部形状に基づいてビデオスコープ１０の挿入部の外観形状を３次元画像でモニタ６０に表示する。
【００３０】
図３は、モニタ６０の表示画面を示した図である。本実施形態では、特殊観察モードが設定された場合、挿入部１０Ｍの外観形状を示す３次元画像（以下、３次元挿入部画像という）ＩＡ、患者モデルＩＣとともに、観察対象である器官の外観形状を示す３次元画像（以下、３次元器官画像という）ＩＢが、モニタ６０に同時表示される。
【００３１】
３次元器官画像ＩＢは、３次元挿入部画像ＩＡをベースにして、公知のコンピュータグラフィック（ＣＧ）処理によって表示される。３次元器官画像ＩＢは、ここでは大腸観察したときの画像であり、挿入部形状のデータに基づいて、器官相応の径をもつチューブ状イメージを作成し、環状部が連続するような外観形状となるようにそのイメージを修正し、さらに、その外観形状に陰影を付けたグラフィック画像を生成する。
【００３２】
３次元器官画像ＩＢには、プロセッサ３０の特殊光画像処理回路３４によって識別化、強調された特定画素部分ＥＩに相当する部分（以下、強調部分という）ＦＩが、他の部分と識別化されるように３次元器官画像ＩＢに重ねて表示される。ここでは、他の器官外表面とは異なる色合い（単色など）にすることによって、強調部分ＦＩを表示する。
【００３３】
以下、図４〜図７を用いて、特殊光観察画像の強調部分ＦＩを３次元器官画像の対応箇所に表示する処理について説明する。
【００３４】
図４は、ビデオスコープの挿入作業の経過に伴ってモニタに表示される３次元挿入部画像および３次元器官画像を示した図である。
【００３５】
オペレータは、内視鏡作業開始に伴ってスコープ挿入部１０Ｍを対象器官（ここでは大腸）に挿入していく。画像処理装置７０は、スコープ挿入部１０Ｍに配置されたセンサコイル１６からの磁気信号に基づいてスコープ先端部１０Ｔの位置を検出し、挿入部形状を演算して３次元挿入部画像ＩＡを表示する。３次元挿入部画像ＩＡは、スコープ先端部１０Ｔが挿入開始された箇所から現在のスコープ先端部１０Ｔの進んだ位置までの範囲で表示される。
【００３６】
３次元器官画像ＩＢは、３次元挿入部画像ＩＡの形状変化、すなわちスコープ先端部１０Ｔの進行具合に合わせた外観形状で表示される。スコープ先端部１０Ｔが対称器官内へ前進するのに応じて、３次元器官画像ＩＢの全長が長くなっていく。そして、時間経過に伴う３次元器官画像ＩＢの表示と同時に、モニタ４０Ａに表示される特殊光観察画像の強調部分ＥＩの対応箇所に対し、強調部分ＦＩが表示される。
【００３７】
図５は、スコープ先端部の姿勢変化による特殊光観察画像の向きの変化を示した図である。図６は、特殊光観察画像の強調部分と３次元器官画像の強調部分との対応関係を示した図である。
【００３８】
オペレータは、スコープ操作部１０Ｍの操作によってスコープ先端部１０Ｔを湾曲させながらスコープ挿入部１０Ｍを対象器官内へ挿入させていく。その間、プロセッサ３０の特殊光画像処理回路３４で生成される特殊光観察画像のデータは、画像処理装置７０のシステムコントロール回路７６へ送信され、所定時間間隔で図示しないメモリに記録されていく。ただし、スコープ先端部１０Ｔの一定挿入長毎に記録することも可能である。
【００３９】
オペレータが内視鏡操作している間、スコープ挿入部１０Ｍは対象器官の形状に沿って移動していくため、挿入部形状は複雑に曲がる。さらに、スコープ挿入部１０Ｍを操作する過程で、スコープ挿入部１０Ｍを軸周りに回転させながらスコープ先端部１０Ｔを前進させる操作を行う場合もある。そのため、スコープ先端部１０Ｔの姿勢はその操作の仕方によって変化し、これに伴って観察画像の向きも変わる。すなわち、表示される観察画像の上下左右方向が変化する。
【００４０】
図５のように病変部ＧＢのある対象器官ＧＡにスコープ挿入部１０Ｍが挿入された場合、スコープ先端部１０Ｔの姿勢の違いによって特殊光観察画像における強調部分ＥＩの表示位置は変わる。具体的に説明すると、スコープ先端部１０Ｔの視野方向（紙面垂直方向）に対する中心軸周りの姿勢が変化しなければ、観察画像の上下左右方向は、挿入開始時と変わらない。一方、スコープ挿入部１０Ｍの回転、捻りなどによってスコープ先端部１０Ｔが挿入開始時から１８０度回転すると、観察画像の向きは上下と左右がそれぞれ逆転する。
【００４１】
スコープ先端部１０Ｔに設けられた加速度センサ１４は、スコープ先端部１０Ｔに沿った平面に対する角加速度を検出可能であり、スコープ先端部１０Ｔの軸回りの回転が生じると検出信号を出力する。画像処理装置７０の特殊光画像処理回路７２は、プロセッサ３０から送られてくる角加速度情報に基づいて、観察画像の向きを補正する。ここでは挿入開始時のスコープ先端部１０Ｔの姿勢を基準位置（角度）として定め、その基準位置からの角度変化に応じて観察画像の向きを基準位置に合わせる。
【００４２】
例えば、図５のようにスコープ先端部１０Ｔが基準位置に対して１８０度回転した場合、上下方向の向きを１８０度変換した特殊光観察画像に補正（向き合わせ調整）する。これによって、強調部分ＥＩの表示位置は、基準位置の観察画像の向きに合わせた表示位置となる。画像処理回路７４は、観察画像の向きを基準位置に合わせた特殊観察画像データに基づいて、３次元器官画像ＩＢにおける強調部分ＦＩの位置を特定し、表示する。３次元器官画像ＩＢは、画像処理装置７０内のメモリなどに記憶される。
【００４３】
図６は、３次元器官画像と特殊光観察画像との対応関係を示した図である。上述したように、特殊光観察画像は所定時間間隔で記録される。スコープ先端部１０Ｔに設けられる対物光学系は、その画角が魚眼レンズ相応の画角であり、スコープ先端部１０Ｔの位置が対象器官内の中心付近にあるとみなせば、観察画像の画面隅に写し出される箇所とスコープ先端部１０Ｔとの距離間隔を定めることができる。
【００４４】
したがって、特殊光観察画像の画面隅付近に強調部分ＥＩが写し出されている場合、センサコイル１６によって検出されるスコープ先端部１０Ｔの位置に基づいて、３次元器官画像ＩＢの中で強調部分ＥＩに該当する箇所を定めることができる。このとき、特殊光観察画像ＩＭは、その上下方向が基準位置の上下方向に揃えられた画像を使用する。
【００４５】
３次元器官画像ＩＢの強調部分ＦＩは、特殊光観察画像ＩＭに表示される強調部分ＥＩの全体的長さと、その強調部分ＥＩが連続的に観察されるフィールド／フレーム数ｎによってその範囲が定められる。スコープ挿入部１０Ｍの挿入過程で強調部分ＥＩが特殊光観察画像ＩＭの中に現れることで、強調部分ＦＩがその出現箇所に合わせて３次元器官画像ＩＢに重ねて表示される。
【００４６】
図７は、スコープ挿入部１０Ｍを引き戻したときの病変部の取得を示した図である。オペレータは、スコープ先端部１０Ｔを常に前進させるだけでなく、場合によっては一度引き戻して再度同一個所を観察する。この場合、前進しているときには検出されなかった画像領域が抽出される事態も生じる。
【００４７】
図７では、スコープ挿入部１０Ｍが対象器官ＧＡ内を前進移動する過程で病変部ＧＢ相応の領域が抽出された後、引き戻しによって異なる領域ＧＢが取得されていることを示している。スコープ先端部１０Ｔの位置検出により、その位置に応じた特殊観察画像のデータに対し、新たに抽出された強調部分が上書き更新あるいは重ね合わせ更新される。これによって、３次元観察画像ＩＢの中で強調部分が表示される。
【００４８】
図８は、特殊光観察モードのときに画像処理装置７０で実行される３次元画像処理のフローチャートである。
【００４９】
通常観察モードから特殊光観察モードに切り替えられると（Ｓ１０１、Ｓ１０２）、３つの特殊光の中から選択された特殊光に基づいて、３次元画像処理が実行される。ここでは、青色に応じた特殊光（狭帯域光）を照射する特殊光観察をモードＡ（Ｓ１０３、Ｓ１０５）、緑色に応じた特殊光（狭帯域光）を照射する特殊光観察をモードＢ（Ｓ１０４、Ｓ１０６）、赤外光に応じた特殊光（狭帯域光）を照射する特殊光観察をモードＣ（Ｓ１０７）と定める。オペレータは、タッチパネルボタンを操作することによってモードを選択することが可能である。
【００５０】
図９は、モードＡ、モードＢ、モードＣがそれぞれ設定された場合の３次元器官画像ＩＡ、ＩＢ、ＩＣを示した図である。波長域の異なる特殊光を照射することにより、表示される強調部分ＫＡ、ＫＢ、ＫＣの表示される位置はそれぞれ異なる。
【００５１】
このように本実施形態によれば、ビデオスコープ１０内のセンサコイル１６と形状検出用アンテナユニット５０によって、挿入部１０Ｍの挿入部形状を３次元挿入部画像ＩＡとして表示可能な内視鏡システムにおいて、特殊光観察モードが設定された場合、撮影対象器官の外観形状である３次元器官画像ＩＢを同時に表示する。そして、３次元器官画像ＩＢに対し、特殊光観察画像の強調部分ＥＩの位置を３次元器官画像ＩＢの中で特定し、強調部分ＦＩを重ねて表示する。
【００５２】
このような３次元画像表示により、器官全体の中で強調、識別化された部分の位置、大きさを把握することができる。また、再度検査する場合、オペレータは、事前に３次元器官画像を再生表示することにより、強調部分の位置を確認しながらスコープ先端部をその位置へ速やかに移動させることができる。
【００５３】
観察画像の向きは加速度センサ以外のセンサ（角速度センサ）を用いてもよい。また、特殊光観察画像の代わりに、白色光による通常観察画像を所定の画像処理によって特定箇所を識別化、強調した場合などにも適用することができる。また、センサコイルを用いずに加速度センサなどを用いてスコープ先端部の位置を検出することも可能であり、３次元器官画像だけを表示する構成も可能である。
【００５４】
次に、図１０を用いて第２の実施形態である内視鏡システムについて説明する。第２の実施形態では、３次元器官画像の強調部分に対し、その定量的なデータが指標として表示される。
【００５５】
図１０は、第２の実施形態における３次元器官画像を示した図である。特殊光観察画像の中で画素信号データが所定条件を満たす部分が抽出されると、その抽出部分の定量的値が指標として同時に表示される。ここでは、Red Densityの数値ＩＫが同時表示されている。このような場所によって異なる固有値を指標として表示することにより、医師などが、強調部分の病状の程度、進行具合などを判断することができる。
【００５６】
次に、図１１を用いて、第３の実施形態である内視鏡システムについて説明する。第３の実施形態では、３つの特殊光を順次切り替えながら被写体を照明する。
【００５７】
図１１は、特殊光観察モードにおける特殊光の切り替えを示したタイミングチャートである。ロータリーフィルタを駆動することにより、特殊光モードＡ、モードＢ、モードＣが所定時間間隔で切り替えられる。これによって、青色に応じた特殊光、緑色に応じた特殊光、赤外光に応じた特殊光が切り替えられながら照射される。
【００５８】
特殊光画像処理回路７２は、検出されるスコープ先端部１０Ｔの角度に応じて各モードにおける観察画像の向きを補正する。そして画像処理回路７４は、３つの特殊光に応じた３次元器官画像をそれぞれ生成し、記録する。それとともに、３つの特殊光に応じてそれぞれ抽出された強調部分を、３次元器官画像に重ねて表示する。３つの３次元器官画像を同時に画面表示してもよく、選択された３次元器官画像のみを表示してもよい。
【符号の説明】
【００５９】
１０  ビデオスコープ
１４  加速度センサ（画像方向検出部）
３０  プロセッサ
７０  画像処理装置
７２  特殊光画像処理回路
７４  画像処理回路
【図１】
2018166932.tif 000003
【図２】
2018166932.tif 000004
【図３】
2018166932.tif 000005
【図４】
2018166932.tif 000006
【図５】
2018166932.tif 000007
【図６】
2018166932.tif 000008
【図７】
2018166932.tif 000009
【図８】
2018166932.tif 000010
【図９】
2018166932.tif 000011
【図１０】
2018166932.tif 000012
【図１１】
2018166932.tif 000013